(57)【要約】【課題】  透明な遊技盤において、表示のための構成を簡素化する。【解決手段】  遊技盤１の基板１０は、前面板１０ａと背面板１０ｂの間に素子基板２０を配した積層板で、素子基板２０には、演出表示装置５及び図柄表示装置２２と、それらに給電するための透明配線２４ａ、２８ａ、３１ａ、３１ｂとが設けられている。演出表示装置５及び図柄表示装置２２は１枚の素子基板２０上に形成されているが、演出表示装置５のための透明配線２４ａ、２８ａと図柄表示装置２２のための透明配線３１ａ、３１ｂとが互いに独立していて、演出表示装置５と図柄表示装置２２とを互いに独立に発光させることが可能になっている。【選択図】  図２
2006192186.tif 000002
【特許請求の範囲】
【請求項１】
前面の一部又は全部が遊技領域とされる剛性の基板と、前記基板に装着された遊技盤部品とを備える遊技盤において、
前記基板を、透光性の前面板と、背面板と、それらの間に配された透光性の素子基板とが含まれる積層板とし、
前記素子基板には、
透明な発光素子によって構成される第１の発光表示部と、
透明な発光素子によって構成される第２の発光表示部と、
前記第１の発光表示部に給電するための第１の透明配線と、
前記第２の発光表示部に給電するための第２の透明配線と
が設けられ、
前記第１の発光表示部と前記第２の発光表示部とを互いに独立に発光させることが可能になっている
ことを特徴とする遊技盤。
【請求項２】
請求項１記載の遊技盤において、
前記発光素子は、透明なエレクトロルミネッセンス素子（ＥＬ素子）又は透明ＬＥＤである
ことを特徴とする遊技盤。
【発明の詳細な説明】
【技術分野】
【０００１】
本発明は、弾球遊技機の技術分野に属し、詳しくは弾球遊技機に装着される遊技盤に関する。
【背景技術】
【０００２】
透光性の合成樹脂製で前面の一部又は全部が遊技領域とされる基板と、前記基板に装着された遊技盤部品とを備える遊技盤と、その遊技盤の背後に配置されたディスプレイ装置（例えば液晶ディスプレイ）とを有するパチンコ機が特開平７−１８５０７４号公報（特許文献１）に開示されている。また、そのようなパチンコ機が実用化されてもいる。
【特許文献１】特開平７−１８５０７４号公報
【発明の開示】
【発明が解決しようとする課題】
【０００３】
パチンコ機などの弾球遊技機においては、図柄表示装置に大当たりの特別図柄が表示されると特別遊技を行う（大当たりになる）ものが主流であるが、大当たり抽選を行う主制御装置がその図柄表示装置（特別図柄表示装置）を直接制御する構成にすることが要求されている。
【０００４】
また、この場合、特別図柄表示装置とは別の図柄表示装置（演出表示装置）にて図柄（演出図柄）を表示することは許されるが、主制御装置のＣＰＵに機能制限があることから、動画などの複雑な表示を行うことが多い演出表示装置は主制御装置とは別の制御装置（演出表示制御装置）によって制御するのが普通である。
【０００５】
つまり、主制御装置によって制御される特別図柄表示装置と演出表示制御装置によって制御される演出表示装置との、２つの表示装置を備えるのが一般的である。
ところで、特許文献１のように透光性の遊技盤の背後にディスプレイを配した構成であると、例えば遊技盤の背後に演出表示装置にするためのディスプレイと、特別図柄表示装置にするためのディスプレイとを配した構成などが必要になる。つまり、遊技盤の背後に配される装置構成が複雑になる。
【課題を解決するための手段】
【０００６】
請求項１記載の遊技盤は、
前面の一部又は全部が遊技領域とされる剛性の基板と、前記基板に装着された遊技盤部品とを備える遊技盤において、
前記基板を、透光性の前面板と、背面板と、それらの間に配された透光性の素子基板とが含まれる積層板とし、
前記素子基板には、
透明な発光素子によって構成される第１の発光表示部と、
透明な発光素子によって構成される第２の発光表示部と、
前記第１の発光表示部に給電するための第１の透明配線と、
前記第２の発光表示部に給電するための第２の透明配線と
が設けられ、
前記第１の発光表示部と前記第２の発光表示部とを互いに独立に発光させることが可能になっている
ことを特徴とする。
【０００７】
遊技盤は、本体となる基板に遊技盤部品が装着され、その前面の一部又は全部が遊技領域とされる。
遊技盤部品には入賞装置やガイドレールのように弾球遊技を行うためには必須となる部品（必須部品）が含まれるのは当然として、例えば装飾を目的として設置される部品や特定の場所や部品（例えば表示装置）を遊技球から保護するための部品のように、弾球遊技の実行という観点では必須ではない部品（非必須部品）も含まれる。
【０００８】
請求項１記載の遊技盤は、その本体となる基板を、透光性の前面板と、背面板と、それらの間に配された透光性の素子基板とが含まれる積層板とし、その素子基板には、第１、第２の発光表示部と、それらに給電するための第１、第２の透明配線とが設けられているので、第１、第２の発光表示部を発光させれば基板そのものが発光して電飾となるので、従来の技術では得られなかった斬新な電飾効果になる。
【０００９】
発光素子からの光で基板そのものが発光していると見せる効果は、発光素子が目立たないほど良好となる。すなわち、放射された光は見えるとしても、発光素子そのものは遊技者に視認させない方がよい。さらには、発光素子に給電するための配線も遊技者に視認させなければ最良である。つまり、透明な発光素子による第１、第２の発光表示部と第１、第２の透明配線を採用した構成は、この点で優れている。
【００１０】
しかも、第１の発光表示部と第２の発光表示部とを互いに独立に発光させることが可能になっているので（そうするには、第１、第２の透明配線を相互に独立的に設ければよい。）、一方（例えば第１の発光表示部）を上述の主制御装置によって制御される特別図柄表示装置）、他方（例えば第２の発光表示部）を主制御装置とは別の制御装置（演出表示制御装置）によって制御される演出表示装置とすることができる。
【００１１】
そうすれば、特許文献１のように特別図柄表示装置となる表示装置を遊技盤の背後に配置する必要はないし、演出表示装置となる表示装置を遊技盤の背後に配置する必要もない。言うまでもないが、遊技盤に穴を開けて特別図柄表示装置又は演出表示装置となる表示装置を取り付けたり、そのような表示装置を遊技盤の前面に取り付ける必要もない。
【００１２】
また、素子基板（第１、第２の発光表示部）が前面板と背面板との間に配されて基板の内部に位置するので、背面板も透光性にして（つまり、基板全体として透光性にして）、基板の背面に不透明ないし半透明のフィルム（例えばハーフミラーフィルム）を張って、或いはアルミニウム等を基板の背面に蒸着して目隠しにすることができる。或いは、基板の背面に反射材を配置して（例えばハーフミラーフィルム、アルミニウム等の蒸着やスパッタリング）、基板の背面を光らせることもできる。
【００１３】
なお、背面板は透光性であることを要さないので（一部又は全部が不透明でもよいので）、背面板の素子基板側の面に上述の半透明のフィルムを張ったり、アルミニウム等を蒸着してもよいし、そこに反射材を配置してもよい。
【００１４】
素子基板は、第１の発光表示部及び第１の透明配線とが設けられる部分と、第２の発光表示部及び第２の透明配線とが設けられる部分との２分割にしてもよいし、１枚の素子基板に第１、第２の発光表示部及び第１、第２の透明配線を設けてもよい。
【００１５】
また、前面板と背面板は、素子基板を挟んで前面側になる板と同背面側になる板ということであり、必ずしも基板の前面（遊技領域になる面）を構成する板、同背面を構成する板ということではない。
【００１６】
透明な発光素子としては、請求項２に記載のエレクトロルミネッセンス素子（ＥＬ素子）や透明ＬＥＤ（例えば特開２００２−８０２２２号、特開２００４−２２０８８８号等）が例示される。
【００１７】
基板（積層板）を構成する各単位板（前面板、背面板及び素子基板、但し、上述のハーフミラーフィルム等のような、これら以外の層があってもよい。）は、透光性であればよく、透明である必要はなく、透光性を損なわなければ染料や顔料で着色されていてもよいし、積層構造の一部に着色したフィルムが用いられてもよい。
【００１８】
また積層板全体として、遊技盤として普通に使用する限りは変形しないだけの剛性が要求される。本発明において基板が「剛性」であるというのは、遊技盤として普通に使用する限りは変形しないということである。
【００１９】
この剛性は、主に前面板と背面板とで満たすことになるので、これらはアクリル、ポリカーボネート等の透光性の合成樹脂板を用いるとよいが、これらに限るわけではなく、透光性且つ上述の剛性が得られるという条件を満たすなら特に制限はない。前面板と背面板の材質を同じにすることもできるし、例えば前面板は遊技領域とするために硬度を重視してアクリル、背面板は加工性を重視してポリカーボネートというように材質を異ならせることもできる。
【００２０】
素子基板の材質は、前面板又は背面板と同様に合成樹脂を使用すればよく、これらの一方又は双方と同材質にしてもよいし、異なる材質であってもよい。なお、素子基板は上述の剛性を担うことを要さないので、フィルムでよい。
【発明を実施するための最良の形態】
【００２１】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示す外観形状をしている。
【００２２】
この遊技盤１の基板１０にはガイドレール２ａ、２ｂ、２ｃが取り付けられており、それらで囲まれた略円形の区画内が遊技領域３とされる。なお、図示は省略したが、ガイドレール２ａ、２ｂ間の切れ目部分には返しゴムが、ガイドレール２ｂ、２ｃ間の切れ目部分にはアウト穴４用のガイド板金が装着されて、それらの切れ目は閉じられる。
【００２３】
遊技領域３の中央部には、第１の発光表示部である演出表示装置５が配されており（詳細は後述するが、演出表示装置５は遊技盤１の表面に露出していない。）、その上方にはアーチ状のリブ６が基板１０に立設されている。このため、上方から落下してくる遊技球はリブ６によって左又は右に方向を変更させられ、演出表示装置５の前方を通ることはない。但し、演出表示装置５の横及び下には、リブ６のように遊技球の進入を阻む部材が無いので、遊技球が演出表示装置５の横や下方から演出表示装置５の前方に飛来することはある。
【００２４】
演出表示装置５の下方にはゲート７が配され、ゲート７の下方には電動チューリップ式の可変入賞装置８が配され、その下方にはアタッカー式の大入賞装置９（図示は大入賞口９ａが開放された状態）が配されている。
【００２５】
演出表示装置５の横には普通入賞口１２が左右で対をなして配され、その上方にはランプ風車１１が左右で対をなして配されている。
また、普通入賞口１２の下方には、サイド飾り１３と一体化された普通入賞口１４、１５がそれぞれ左右で対をなして配されている（但し、説明の都合上、左のサイド飾り１３は撤去した状態を図示してある。）。
【００２６】
そして、遊技領域３の最下部には、遊技領域３を通過してきた遊技球をアウト球として排出するためのアウト穴４が設けられている。
また、左側のランプ風車１１の斜め下、普通入賞口１２の斜め上には、第２の発光表示部である図柄表示装置２２が配置されている（詳細は後述するが、図柄表示装置２２は遊技盤１の表面に露出していない。）。
【００２７】
なお、遊技領域３には周知の障害釘や風車も配されているが、これらの図示と説明は省略する。但し、演出表示装置５及び図柄表示装置２２の前方には、障害釘も風車も（いかなる遊技盤部品も）配されてはいない。
【００２８】
遊技盤部品であるゲート７、可変入賞装置８、大入賞装置９、ランプ風車１１、普通入賞口１２及びサイド飾り１３を基板１０に装着するには、基板１０に設けられた装着孔１７を必要とする。図１には左のサイド飾り１３のための装着孔１７を図示してあるが、装着孔１７の形状（輪郭）は各遊技盤部品に応じて異なる。但し、基板１０を貫通している点は全ての装着孔１７に共通している。
【００２９】
次に、基板１０の構造を図２によって説明する。なお、図２は層構造を明瞭に示すための模式図であり寸法等は実際のものとは異なっている。
遊技盤１の基板１０は、図２（ａ）に示すように、前面板１０ａ及び背面板１０ｂと、これらの間に配された透光性の素子基板２０とからなる積層構造をしている。なお、これらは透明な接着剤によって相互に接着されている。
【００３０】
前面板１０ａ及び背面板１０ｂは、共に透明な合成樹脂（本実施例ではポリカーボネート）製であり、前面板１０ａの板厚は約８ｍｍ、背面板１０ｂの板厚は約２ｍｍである。遊技盤としての剛性は主に前面板１０ａが担うことになるが、この板厚が約８ｍｍあるので、遊技盤としての剛性は十分にある。
【００３１】
素子基板２０は透明な合成樹脂（本実施例ではポリカーボネート）製のフィルムであり、素子基板２０上には、演出表示装置５、図柄表示装置２２、これらのための透明配線２４ａ、２８ａ、３１ａ、３１ｂ（図１参照）が設けられている。
【００３２】
演出表示装置５及び図柄表示装置２２は、透明なＥＬ素子である。その構造は共通であるから、演出表示装置５で両者を代表して説明し、図柄表示装置２２の説明は省略する。
図２（ｂ）に示すように、演出表示装置５（図柄表示装置２２）は、素子基板２０上に、第１電極２４、第１絶縁層２５、発光層（ＥＬ材料）２６、第２絶縁層２７、第２電極２８を順に積層形成して形成されている。第１電極２４及び第２電極２８は例えばＩＴＯの薄膜で透明、例えば無機ＥＬ材で形成された発光層２６も薄膜で透明、第１絶縁層２５及び第２絶縁層２７も薄膜で透明であり、演出表示装置５（図柄表示装置２２）は全体として透明である。
【００３３】
第１電極２４と第２電極２８との間に電圧が印加されると、それらの間に配されている発光層（ＥＬ材料）２６が発光する。そのために、第１電極２４及び第２電極２８は、素子基板２０上に透明な配線として延出されて（図２（ｂ）では第１電極２４の透明配線２４ａだけが示されているが、第２電極２８の透明配線２８ａも同様に配設されている。）、背面板１０ｂの外周部にて導電性の接着剤２９によりフレキシブル配線基板３０に結ばれている。
【００３４】
フレキシブル配線基板３０は基板１０の外部に引き出されて図示省略のＥＬ駆動回路に接続される。基板１０の外周部分は遊技盤１を保持する枠体等によって覆い隠されるので、透明配線２４ａ、２８ａ（３１ａ、３１ｂ）とフレキシブル配線基板３０との接続部やフレキシブル配線基板３０は遊技者の目に見えない。
【００３５】
そのＥＬ駆動回路が第１電極２４、第２電極２８間の電圧印加を制御することで演出表示装置５の発光を制御する。また、図柄表示装置２２も同様に制御される。
但し、図柄表示装置２２のＥＬ駆動回路は主制御装置により制御され（又は主制御装置の一部として組み込まれていて）、演出表示装置５のＥＬ駆動回路は演出制御装置により制御される（又は演出制御装置の一部として組み込まれている）構成であり、演出表示装置５と図柄表示装置２２とは制御主体が異なっている。なお、主制御装置が演出表示装置５及び図柄表示装置２２を制御する構成であってもよい。
【００３６】
この遊技盤１は、その本体となる基板１０を、前面板１０ａと、背面板１０ｂと、それらの間に配された透光性の素子基板２０とが含まれる積層板とし、その素子基板２０には、演出表示装置５及び図柄表示装置２２と、それらに給電するための透明配線２４ａ、２８ａ、３１ａ、３１ｂとが設けられているので、演出表示装置５又は図柄表示装置２２を発光させれば基板１０そのものが発光して電飾となるので、従来の技術では得られなかった斬新な電飾効果になる。
【００３７】
しかも、演出表示装置５又は図柄表示装置２２も透明配線２４ａ、２８ａ、３１ａ、３１ｂも透明であるから、放射された光は見えるとしても、発光のための構成そのものは遊技者に視認できず、演出表示装置５又は図柄表示装置２２からの光で基板１０そのものが発光していると見せる効果はきわめて良好である。
【００３８】
また、演出表示装置５及び図柄表示装置２２は１枚の共通の素子基板２０上に形成されているが、演出表示装置５のための透明配線２４ａ、２８ａと図柄表示装置２２のための透明配線３１ａ、３１ｂとが互いに独立していて、演出表示装置５と図柄表示装置２２とを互いに独立に発光させることが可能になっている。これにより、上述したように、一方（本例では図柄表示装置２２）を主制御装置によって制御し、他方（演出表示装置５）を主制御装置とは別の演出表示制御装置によって制御することができる。
【００３９】
従って、特許文献１のように特別図柄表示装置となる表示装置を遊技盤の背後に配置する必要はないし、演出表示装置となる表示装置を遊技盤の背後に配置する必要もない。言うまでもないが、遊技盤に穴を開けて特別図柄表示装置又は演出表示装置となる表示装置を取り付けたり、そのような表示装置を遊技盤の前面に取り付ける必要もない。
［その他］
演出表示装置５及び図柄表示装置２２が基板１０の内部に位置するので、図２に示す例ではそのようになっていないが、基板１０の背面（又は背面板１０ｂと素子基板２０との界面）に不透明ないし半透明のフィルム（例えばハーフミラーフィルム）を張って、或いはアルミニウム等を基板１０の背面に蒸着して目隠しにすることができる。また、基板１０の背面（又は背面板１０ｂと素子基板２０との界面）に反射材を配置して（例えばハーフミラーフィルム、アルミニウム等の蒸着やスパッタリング）、基板１０の背面（又は背面板１０ｂと素子基板２０との界面）を光らせることもできる。
【００４０】
また、素子基板２０は、第１の発光表示部及び第１の透明配線とが設けられる部分と、第２の発光表示部及び第２の透明配線とが設けられる部分との２分割にしてもよい。
【図面の簡単な説明】
【００４１】
【図１】実施例の遊技盤の正面図。
【図２】実施例における基板の層構造を説明するための模式図。
【符号の説明】
【００４２】
１・・・遊技盤、
２ａ、２ｂ、２ｃ・・・ガイドレール（遊技盤部品）、
３・・・遊技領域、
５・・・演出表示装置（第１の発光表示部）、
７・・・ゲート（遊技盤部品）、
８・・・可変入賞装置（遊技盤部品）、
９・・・大入賞装置（遊技盤部品）、
９ａ・・・大入賞口
１０・・・基板、
１０ａ・・・前面板、
１０ｂ・・・背面板、
１１・・・ランプ風車（遊技盤部品）、
１２・・・普通入賞口（遊技盤部品）、
１３・・・サイド飾り（遊技盤部品）、
１４、１５・・・普通入賞口（遊技盤部品）、
１７・・・装着孔、
２０・・・素子基板、
２２・・図柄表示装置（第２の発光表示部）、
２４ａ、２８ａ・・・透明配線（第１の透明配線）、
３０・・・フレキシブル配線基板、
３１ａ、３１ｂ・・・透明配線（第２の透明配線）。
【図１】
2006192186.tif 000003
【図２】
2006192186.tif 000004